(57)【特許請求の範囲】
【請求項１】
複数の長尺物が隣接するよう集合した長尺物集合体の外周に巻き付けることのできる耐火材シートであり、
基部と、当該耐火材シートにおける、前記巻き付ける際の方向である巻付方向に対して交わる方向である幅方向に沿って前記基部から幅方向の端部に延設した複数の変形片であって、幅方向に延びるスリットが複数、前記巻付方向に並ぶことで形成された複数の変形片と、を備え、
巻き付け時に内側となる面に形成された粘着層を更に備える、または、前記長尺物集合体に巻き付けられた状態の前記耐火材シートの前記複数の変形片における少なくとも一部を外部から縮径させる縮径体と共に用いられ、
各変形片の前記耐火材シートにおける幅方向の寸法は前記巻付方向の寸法よりも大きい耐火材シート。
【請求項２】
各変形片は、前記耐火材シートを前記長尺物集合体に巻き付けた上、前記複数の変形片が縮径させられた状態で、他の変形片と前記長尺物集合体の径方向に重なり合う重なり部を有する、請求項１に記載の耐火材シート。
【請求項３】
各変形片は、前記耐火材シートを前記長尺物集合体に巻き付けた上、前記複数の変形片が縮径させられた状態で、前記長尺物集合体の周方向に対してねじれるねじれ部を有する、請求項１または２に記載の耐火材シート。
【請求項４】
前記長尺物集合体は、隣り合う長尺物間に横断面略Ｖ字状の溝状部を形成するように集合しており、
前記ねじれ部は、前記耐火材シートを前記長尺物集合体に巻き付けた上、前記複数の変形片が縮径させられた状態で、前記溝状部における各長尺物の外周面に沿うよう、ねじれるように構成されている、請求項３に記載の耐火材シート。
【請求項５】
建物防火区画の境界に位置する壁または床に形成された貫通穴と、
複数の長尺物が隣接するよう集合し、前記貫通穴を貫通する長尺物集合体と、
前記長尺物集合体の外周に巻き付けられた耐火材シートと、
縮径体と、を備え、
前記耐火材シートは、基部と、当該耐火材シートにおける、前記巻き付ける際の方向である巻付方向に対して交わる方向である幅方向に沿って前記基部から幅方向の端部に延設した複数の変形片であって、幅方向に延びるスリットが複数、前記巻付方向に並ぶことで形成された複数の変形片と、を備え、
前記縮径体は、前記長尺物集合体に巻き付けられた状態の前記耐火材シートの前記複数の変形片における少なくとも一部を外部から縮径させる建物防火区画の貫通構造。
【請求項６】
前記縮径体は、前記複数の変形片の外周に巻回される、請求項５に記載の建物防火区画の貫通構造。
【請求項７】
請求項５または６に記載の建物防火区画の貫通構造に用いられる耐火材シート。
【請求項８】
基部と、前記基部から幅方向の端部に延設した複数の変形片であって、幅方向に延びるスリットが複数、前記幅方向に対して交わる方向に並ぶことで形成された複数の変形片と、を備える耐火材シートを用い、
複数の長尺物が隣接するよう集合した長尺物集合体に前記耐火材シートを、前記幅方向に対して交わる方向を前記長尺物集合体の周方向に沿わせて巻き付け、前記複数の変形片を縮径させる耐火材の施工方法。
【請求項９】
前記長尺物集合体に前記耐火材シートを巻き付けた後、前記長尺物集合体の延びる方向に沿って前記耐火材シートをスライドさせる、請求項８に記載の耐火材の施工方法。
【請求項１０】
前記耐火材シートのスライドは、前記基部が前方となり、前記複数の変形片が後方となるようにされる、請求項９に記載の耐火材の施工方法。
【発明の詳細な説明】
【技術分野】
【０００１】
本発明は、特に、建物防火区画の境界に位置する壁または床における長尺物の貫通部に適する、耐火材シート、建物防火区画の貫通構造、耐火材の施工方法に関するものである。
【背景技術】
【０００２】
建物防火区画の境界に位置する壁または床における、配管・配線等の長尺物の貫通部には、壁または床に形成された貫通穴と長尺物との隙間を埋めるために耐火材が用いられる。この耐火材は、建物の火災時の熱により膨張することで、貫通穴が有する空間（長尺物が焼失したことにより生じる空間も含む）を埋める。これにより、建物防火区画の境界を越える延焼を防止できる。このような耐火材を用いた耐火構造は、例えば特許文献１に記載されている。特許文献１に記載の耐火構造は、単一の合成樹脂管が貫通する場合におけるものである。
【０００３】
ここで、複数の長尺物が建物防火区画の境界を貫通することがあり、この場合の耐火構造について特許文献２に記載されている。この耐火構造では、複数の長尺物（エアコン用の配管）を束ねるようにして耐火材を巻き付けることが示されている。しかし、隣接する長尺物により生じる横断面略Ｖ字状の空間は、巻き付けた耐火材では埋められない。このように耐火材を巻き付けたままでは、耐火材が膨張していない状態で隙間が存在しているため、当該隙間を介して火災時（特に火災初期）の煙が建物防火区画の境界を越えて移動してしまうので好ましくない。
【０００４】
このことに関し、特許文献２の耐火構造では、前記横断面略Ｖ字状の空間に細切れの耐火材を充填することで対応していた。しかしこのような対応では、いちいち耐火材を切断して細切れとしたものを作成する手間がかかり、施工現場での工数が増えるため問題があった。
【先行技術文献】
【特許文献】
【０００５】
【特許文献１】特開２００２−１１９６０８号公報（図４）
【特許文献２】特開２０１２−１４９６７０号公報（図４）
【発明の概要】
【発明が解決しようとする課題】
【０００６】
そこで本発明は、複数の長尺物が建物防火区画の境界を貫通する場合に適し、施工が容易な耐火材シート、建物防火区画の貫通構造、耐火材の施工方法を提供することを課題とする。
【課題を解決するための手段】
【０００７】
本発明は、複数の長尺物が隣接するよう集合した長尺物集合体の外周に巻き付けることのできる耐火材シートであり、基部と、当該耐火材シートにおける、前記巻き付ける際の方向である巻付方向に対して交わる方向である幅方向に沿って前記基部から幅方向の端部に延設した複数の変形片であって、幅方向に延びるスリットが複数、前記巻付方向に並ぶことで形成された複数の変形片と、を備え、巻き付け時に内側となる面に形成された粘着層を更に備える、または、前記長尺物集合体に巻き付けられた状態の前記耐火材シートの前記複数の変形片における少なくとも一部を外部から縮径させる縮径体と共に用いられ、各変形片の前記耐火材シートにおける幅方向の寸法は前記巻付方向の寸法よりも大きい耐火材シートである。
【０００８】
この構成によれば、変形片の耐火材シートにおける幅方向の寸法は巻付方向の寸法よりも大きい。このため、耐火材シートを長尺物集合体の外周に巻き付ける際、各変形片が変形しやすく、各変形片を長尺物集合体の外周に容易に沿わせることができる。よって、隣り合う長尺物間に生じる空間に変形片を位置させることができる。
【０００９】
また、各変形片は、前記耐火材シートを前記長尺物集合体に巻き付けた上、前記複数の変形片が縮径させられた状態で、他の変形片と前記長尺物集合体の径方向に重なり合う重なり部を有することもできる。
【００１０】
この構成によれば、耐火材シートを長尺物集合体の外周に沿わせる際に、複数の変形片における重なり部が径方向に重なり合うことで、耐火材シートと長尺物集合体との間に隙間ができないよう、密な巻き付けが可能である。
【００１１】
また、各変形片は、前記耐火材シートを前記長尺物集合体に巻き付けた上、前記複数の変形片が縮径させられた状態で、前記長尺物集合体の周方向に対してねじれるねじれ部を有することもできる。
【００１２】
この構成によれば、耐火材シートを長尺物集合体の外周に沿わせる際に、複数の変形片におけるねじれ部が周方向にねじれることで、各変形片を長尺物集合体の周方向に追随させやすい。
【００１３】
また、前記長尺物集合体は、隣り合う長尺物間に横断面略Ｖ字状の溝状部を形成するように集合しており、前記ねじれ部は、前記耐火材シートを前記長尺物集合体に巻き付けた上、前記複数の変形片が縮径させられた状態で、前記溝状部における各長尺物の外周面に沿うよう、ねじれるように構成されていることもできる。
【００１４】
この構成によれば、ねじれ部を、隣り合う長尺物間の溝状部における内面に沿うように位置させられるので、長尺物集合体と耐火材シートとの間における隙間の発生を抑制できる。
【００１５】
また本発明は、建物防火区画の境界に位置する壁または床に形成された貫通穴と、複数の長尺物が隣接するよう集合し、前記貫通穴を貫通する長尺物集合体と、前記長尺物集合体の外周に巻き付けられた耐火材シートと、縮径体と、を備え、前記耐火材シートは、基部と、当該耐火材シートにおける、前記巻き付ける際の方向である巻付方向に対して交わる方向である幅方向に沿って前記基部から幅方向の端部に延設した複数の変形片であって、幅方向に延びるスリットが複数、前記巻付方向に並ぶことで形成された複数の変形片と、を備え、前記縮径体は、前記長尺物集合体に巻き付けられた状態の前記耐火材シートの前記複数の変形片における少なくとも一部を外部から縮径させる建物防火区画の貫通構造である。
【００１６】
この構成によれば、耐火材シートを長尺物集合体の外周に巻き付ける際、変形片を長尺物集合体の外周に容易に沿わせ、かつ、縮径体により長尺物集合体に対して耐火材シートを縮径した状態で確実に固定できる。
【００１７】
また、前記縮径体は、前記複数の変形片の外周に巻回されることもできる。
【００１８】
この構成によれば、縮径体が巻回されることで、複数の変形片が縮径される。このため、複数の変形片を長尺物集合体の外周に容易に沿わせることができる。
【００１９】
また本発明は、前記建物防火区画の貫通構造に用いられる耐火材シートである。
【００２０】
また本発明は、基部と、前記基部から幅方向の端部に延設した複数の変形片であって、幅方向に延びるスリットが複数、前記幅方向に対して交わる方向に並ぶことで形成された複数の変形片と、を備える耐火材シートを用い、複数の長尺物が隣接するよう集合した長尺物集合体に前記耐火材シートを、前記幅方向に対して交わる方向を前記長尺物集合体の周方向に沿わせて巻き付け、前記複数の変形片を縮径させる耐火材の施工方法である。
【００２１】
この方法によれば、複数の変形片を縮径させることで、長尺物集合体と耐火材シートとの間において隙間の発生を抑制できる。
【００２２】
また、前記長尺物集合体に前記耐火材シートを巻き付けた後、前記長尺物集合体の延びる方向に沿って前記耐火材シートをスライドさせることもできる。
【００２３】
この方法によれば、スライドにより、建物防火区画の境界における所望の位置に、容易に耐火材シートを配置できる。
【００２４】
また、前記耐火材シートのスライドは、前記基部が前方となり、前記複数の変形片が後方となるようにされることもできる。
【００２５】
この方法によれば、複数の変形片が後方となる方向にスライドすることで、スライドによって複数の変形片が、各長尺物における露出面に近づくよう絞り込むことを阻害するように乱れてしまうことを抑制できる。
【発明の効果】
【００２６】
本発明の構成によれば、隣り合う長尺物間に生じる空間に変形片を位置させることができる。よって、複数の長尺物が建物防火区画の境界を貫通する場合に適し、施工が容易な耐火材シート、建物防火区画の貫通構造、耐火材の施工方法を提供できる。
【図面の簡単な説明】
【００２７】
【図１】本発明の一実施形態に係る耐火材シートを示す平面図である。
【図２】同耐火材シートを長尺物集合体に巻き付けた状態を示す斜視図である。
【図３】図２に示す状態の同耐火材シートに固定テープを貼り付けた状態を示す斜視図である。
【図４】図３に示す状態の同耐火材シートに絞りテープを巻き付けた状態を示す斜視図である。
【図５】（Ａ）は同耐火材シートを長尺物集合体に巻き付けた状態を示す断面図であり、（Ｂ）は変形片が絞り込まれた状態を示す断面図である。
【図６】同耐火材シートにおける変形片を模式的に示し、（Ａ）は変形していない状態、（Ｂ）は変形片どうしが重なり合った状態を示し、（Ｃ）は一部の変形片がねじれた状態を示す。
【図７】長尺物集合体に巻き付けた状態の同耐火材シートと建物の壁との関係を示し、（Ａ）は壁の外部に同耐火材シートが位置する状態を示し、（Ｂ）は壁の内部に同耐火材シートが位置する状態を示す。
【図８】（Ｂ）（Ｄ）は耐火材シートの他の実施形態を示し、（Ａ）（Ｃ）は参考例を示す。
【発明を実施するための形態】
【００２８】
次に、本発明につき、一実施形態を取り上げて説明を行う。
【００２９】
本実施形態の耐火材シート１は、複数の長尺物Ｃ…Ｃが隣接するよう集合した長尺物集合体Ｃａの外周に巻き付けることのできるシート状体である。前記長尺物Ｃとしては、例えばエアコン用の、保温被覆がなされた冷媒配管や多系統の電気ケーブルを挙げることができ、建物防火区画の境界に位置する壁Ｗまたは床に形成された貫通穴を貫通するものである。長尺物集合体Ｃａが壁Ｗを貫通する場合の例を図７（Ａ）（Ｂ）に示す。本実施形態では４本の長尺物Ｃ…Ｃが集合して長尺物集合体Ｃａを構成しているが、長尺物Ｃ…Ｃの本数は限定されない。また、図５（Ａ）に示すように、長尺物集合体Ｃａは、隣り合う長尺物Ｃ，Ｃ間に横断面で湾曲した略Ｖ字状の溝状部Ｃｇを形成するように集合している。
【００３０】
この耐火材シート１は、熱膨張性黒鉛を含有する塩化ビニル系エラストマーを押し出し成形によりシート状に成形したものである。塩化ビニル系エラストマーを用いることにより、長尺物集合体Ｃａへの巻き付けに適した柔軟なシート状体を形成できる。なお、耐火材シート１を構成する材料は本実施形態のものに限定されず、熱膨張性黒鉛等の熱膨張性材料を含有するものであれば、例えば熱可塑性樹脂等の種々の材料を用いることができる。ただし、シート状に成形することが阻害される材料でなく、長尺物集合体Ｃａに巻き付けられる柔軟性が保たれ、かつ、容易に破れないようなものであることが望ましい。本実施形態のような塩化ビニル系エラストマーを用いると、腰のある（適度な剛性を有する）シート状体を形成できるので、長尺物集合体Ｃａへの巻き付けがしやすく、かつ強度のある耐火材シート１とできる。また、シート状に成形するための手法は押し出し成形に限定されず、例えば射出成形等、種々の手法を採用できる。
【００３１】
この耐火材シート１の使用時における状態の一例を図１に示す。この状態の耐火材シート１は平板状であって平面視長方形状であり、図示右方の相対的に大きい領域を占める基部１１と、図示左方の相対的に小さい領域を占める複数の変形片１２…１２を備える。基部１１は平らな部分である。各変形片１２は、耐火材シート１における巻付方向Ｄｒ（長尺物集合体Ｃａに巻き付ける際の方向であって、図１における長手方向）に対して交わる方向（本実施形態では直交方向）である幅方向Ｄｗに沿って、基部１１から図示左方に延設した細長い長方形状の部分である。各変形片１２は同一形状であり、耐火材シート１において幅方向Ｄｗに延びるスリット１３が一定間隔で複数、巻付方向Ｄｒに並ぶことで、巻付方向Ｄｒにて隣り合う２本のスリット１３，１３間に形成されている。このように、耐火材シート１の一部領域を切断して複数のスリット１３…１３を形成するだけで複数の変形片１２…１２が形成されるので、長尺物集合体Ｃａとの隙間を埋めるための構成を容易に形成できる。
【００３２】
各変形片１２は基部１１に対して、基部１１との接続部１２ａについては拘束されているが、基部１１から遠い縁部１２ｂ（図１における左端縁部）及びスリット１３に面した側縁部１２ａは、耐火材シート１が柔軟性を有することから、基部１１及び他の変形片１２に対して自由に移動できる。このため、各変形片１２は基部１１に対して変形できる。各変形片１２の幅方向（ここでは耐火材シート１における幅方向Ｄｗのことを指す）の寸法１２Ｗは巻付方向Ｄｒの寸法１２Ｌよりも大きい。このため、各変形片１２は基部１１から離れるにつれ、変形の自由度が高くなるので、耐火材シート１を長尺物集合体Ｃａの外周に巻き付ける際、各変形片１２が変形しやすく、各変形片１２を長尺物集合体Ｃａの外周に容易に沿わせることができる。
【００３３】
本実施形態の耐火材シート１は、巻付方向Ｄｒ（図１に示した状態の長手方向）に連続してロール状に巻かれた状態で流通（販売等）するものとされており、施工現場にて作業者が適宜の長手寸法に切断して用いる。ただしこれに限定されず、流通時から図１に示すような長方形状とされていてもよい。
【００３４】
この耐火材シート１は図２に示すように、各変形片１２の延びる方向が長尺物集合体Ｃａの延長方向に沿うようにして、長尺物集合体Ｃａに巻き付けられる。この状態において複数の変形片１２…１２だけを示した断面図が図６（Ａ）である。そして、図４に示すように縮径体としての絞りテープ２２が複数の変形片１２…１２の外部から巻き付けられることで、複数の変形片１２…１２は長尺物集合体Ｃａ基準で縮径させられる。この際、複数の変形片１２…１２は図６（Ｂ）に示すようにお互い重なり合う状態となったり、図６（Ｃ）に示すように一部がねじれた状態となったりする。
【００３５】
このことから各変形片１２は、耐火材シート１の巻き付け状態で、図６（Ｂ）に示す状態となるように、他の変形片１２と長尺物集合体Ｃａの径方向に重なり合うことが可能な部分である重なり部１２１を有すると言える。この重なり部１２１は、耐火材シート１の巻き付け状態で成り行き的に重なり合ったり重なり合わなかったりすることがある。このため、図６（Ｂ）に示したように、各変形片１２における巻付方向Ｄｒの両端側が重なり合うことに限られず、各変形片１２における巻付方向Ｄｒの一端側のみ重なり合うことがある。また、耐火材シート１の幅方向Ｄｗにおけるある部分にて、例えば各変形片１２における巻付方向Ｄｒの全部が重なり合うこともある。
【００３６】
このように各変形片１２が重なり部１２１を有するような構成では、複数の変形片１２…１２における重なり部１２１が長尺物集合体Ｃａの径方向に重なり合うことで、耐火材シート１と長尺物集合体Ｃａとの間に隙間ができないよう、耐火材シート１の密な巻き付けが可能である。
【００３７】
また、各変形片１２は、耐火材シート１の巻き付け状態で、図６（Ｃ）に示す状態となるように、長尺物集合体Ｃａの周方向に対してねじれるねじれ部１２２を有すると言える。このねじれ部１２２は、例えば、各変形片１２における基部１１との接続部１２ａに近い領域であって、隣り合う長尺物Ｃ，Ｃ間に形成される横断面略Ｖ字状の溝状部Ｃｇ（図５（Ａ）参照）に沿うように各変形片１２が変形する際、基部１１の延長位置を基準として回転方向にずれるような挙動をなす。この挙動によりねじれ部１２２は、図５（Ｂ）に示すように、耐火材シート１を長尺物集合体Ｃａに巻き付けた状態で、溝状部Ｃｇにおける各長尺物Ｃの外周面に沿うようにねじれる。なお、図６（Ｃ）に示したのは、巻付方向Ｄｒに隣り合う二つの変形片１２，１２が逆方向にねじれて略Ｖ字状となった状態である。このように各変形片１２が変形することで、長尺物集合体Ｃａにおける溝状部Ｃｇに各変形片１２を容易に沿わせることができる。
【００３８】
このように各変形片１２がねじれ部１２２を有するような構成では、ねじれ部１２２を、隣り合う長尺物Ｃ，Ｃ間の溝状部Ｃｇにおける内面（「Ｖ」形の内面）に沿うように位置させられるので、長尺物集合体Ｃａと耐火材シート１との間における隙間の発生を抑制できる。
【００３９】
以上、複数の変形片１２…１２のうち一部においては、お互い重なり合う状態（図６（Ｂ））となり、他の一部においてはねじれた状態（図６（Ｃ））となることで、長尺物集合体Ｃａに対して図５（Ｂ）に示すような状態となる。このように複数の変形片１２…１２が変形することで、隣り合う長尺物Ｃ，Ｃ間に生じる溝状部Ｃｇの有する空間に変形片１２を位置させることができる。つまり、前記空間は変形片１２によって埋められるか、少なくとも縮小される。このため、火災が発生したが耐火材シート１がまだ膨張していない状態において、長尺物集合体Ｃａとの隙間が無い、または僅かしか存在しないため、火災時の煙が建物防火区画の境界を越えて移動してしまうことを有効に抑制できる。なお、長尺物集合体Ｃａと耐火材シート１との隙間は、壁Ｗの貫通穴Ｗｈを作業者が一方側から他方側を覗いた際に、作業者が視認できる光の透過具合により確認できる。
【００４０】
次に、前記耐火材シート１を用いた建物防火区画の貫通構造につき、前述した以外の事項について説明する。この貫通構造は、前記耐火材シート１に加え、縮径体としての絞りテープ２２を備える。絞りテープ２２は、前述のように長尺物集合体Ｃａに巻き付けられた状態の耐火材シート１における少なくとも一部を外部から縮径させるために用いられる。本実施形態では、図４に示すように複数の変形片１２…１２の外周に巻回されることで、図５（Ａ）に示した状態から図５（Ｂ）に示した状態となるように、各変形片１２を縮径させることができる。絞りテープ２２を用いることにより、長尺物集合体Ｃａに対して耐火材シート１を縮径した状態で確実に固定できる。
【００４１】
次に、前記耐火材シート１を用いた耐火材の施工方法の一例について説明する。この施工方法は、前記耐火材シート１を長尺物集合体Ｃａの周方向に沿わせて巻き付け、複数の変形片１２…１２を縮径させる方法である。まず図２に示すように、耐火材シート１を長尺物集合体Ｃａに巻き付ける。この後、図３に示すように基部１１における巻き付けの境目部分に固定テープ２１を貼り付けて巻き付け状態を保持する。次に、図４に示すように、複数の変形片１２…１２の外部から絞りテープ２２を巻く。これらの工程は、図７（Ａ）に示すように壁Ｗの外部でなされる。
【００４２】
前述のように長尺物集合体Ｃａに前記耐火材シート１を巻き付けた後、長尺物集合体Ｃａの延びる方向に沿って耐火材シート１をスライドさせ、図７（Ｂ）に示すように壁Ｗの内部（貫通穴Ｗｈ）に位置させることができる。このように耐火材シート１をスライドさせることにより、建物防火区画の境界における所望の位置に、容易に耐火材シート１を配置できる。図７（Ｂ）に示した状態とした後は、貫通穴Ｗｈの内面と長尺物集合体Ｃａとの隙間のうち耐火材シート１によって埋められていない部分をモルタル、コーキング材等の充填材で埋める。なお、隙間の全容積に亘って埋められる必要はなく、貫通穴Ｗｈの一方から他方が透視不可能な程度に埋められればよい。そして必要により貫通穴Ｗｈを壁Ｗの外側から覆うカバーを取り付けて施工を完了する。このように本実施形態の耐火材シート１を用いると迅速な施工が可能である。なお、例えばスライド後に絞りテープ２２を巻く手順で施工する場合には、図７（Ｂ）に示すように壁Ｗの内部（貫通穴Ｗｈ）に完全に位置させず、耐火材シート１の一部が壁Ｗの外部に出たままの状態とすることもできる。
【００４３】
このようにスライドを行う場合、図７（Ａ）（Ｂ）に示すように、複数の変形片１２…１２は、前記耐火材シート１における幅方向Ｄｗの端部に位置し、スライドは基部１１が前方となり、複数の変形片１２…１２が後方となるようにすることが望ましい。このように、複数の変形片１２…１２が後方となる方向にスライドすることで、スライドによって複数の変形片１２…１２が、各長尺物Ｃにおける露出面に近づくよう絞り込むことを阻害するように乱れてしまうことを抑制できる。
【００４４】
以上、本発明の実施形態について説明してきたが、本発明は前記実施形態に限定されるものではなく、本発明の要旨を逸脱しない範囲内において種々の変更を加えることができる。
【００４５】
例えば、前記実施形態の耐火材シート１の使用時における状態は、図１に示すように平面視で長方形状であったが、これに限定されず、台形状や三角形状であってもよい。また、前記実施形態の耐火材シート１は中実のシート状であったが、例えば網状とすることもできる。また使用方法によって、例えば隙間を埋めることに特化する場合には、耐火材シート１が熱膨張性を備えないものであってもよい。
【００４６】
また、前記実施形態の耐火材シート１では、図１に示すように、複数の変形片１２…１２が幅方向Ｄｗの端部に位置していたが、例えば複数の変形片１２…１２を幅方向Ｄｗに並ぶように２列形成し、図８（Ｂ）に示すように幅方向Ｄｗの両端部に位置させることもできる。複数の変形片１２…１２を複数列形成することにより、長尺物集合体Ｃａの延びる方向において複数個所、溝状部Ｃｇの有する空間が埋められるか縮小される。このため、複数の変形片１２…１２を１列形成した耐火材シート１よりも、前記空間を無くすことを確実にできる。なお、実施形態外の参考例として、図８（Ａ）に示すように、幅方向Ｄｗにおける中央に位置する等、端部に位置しない形態としたり、また、図８（Ｃ）に示すように幅方向Ｄｗの中間部に位置させたりすることもできる。
【００４７】
また、前記実施形態の耐火材シート１では、複数の変形片１２…１２が略長方形状の長辺側に形成されていたが、短辺側に形成されていてもよい。また、スリット１３の長さを一定とせず、巻付方向Ｄｒで変化させることもできる。また、図８（Ｄ）に示すように、複数の変形片１２…１２を巻付方向Ｄｒで部分的にのみ形成し、他の部分にはスリット１３を形成しない延長基部１１ａとすることもできる。このような形状の耐火材シート１は、巻き付けの際例えば、複数の変形片１２…１２が形成された部分を内側に巻き、延長基部１１ａを外側に巻くことができる。こうすることで、例えば各変形片１２が外側にめくれることを延長基部１１ａによって抑制できる。
【００４８】
また、各変形片１２の形状は前記実施形態では細長い長方形状であったが、例えば先端に向かうにつれ細くなる三角形状や台形状とすることもでき、また、先端を半円形状とすることもできる。また、スリット１３が巻付方向Ｄｒに一定間隔に形成されないことで、変形片１２の巻付方向Ｄｒの寸法（前記実施形態における寸法１２Ｌ）が不均一であってもよい。
【００４９】
また、幅方向Ｄｗに延びるミシン目を形成することにより、耐火材シート１を巻付方向Ｄｒで容易に切断できるよう構成することもできる。
【００５０】
また、巻き付け時に外側となる面に、アルミガラスクロス等の耐火性材料を積層することもできる。これにより耐火材シート１の耐火性を更に向上できる。また、特に変形片１２において、巻き付け時に内側となる面に、例えばスポンジ状の柔軟な材料を積層することもできる。これにより長尺物集合体Ｃａと耐火材シート１との隙間を埋めることがより容易である。更に、この柔軟な材料には凹凸（特に凸部）を形成することもできる。
【００５１】
また、巻き付け時に内側となる面に粘着層を形成することもできる。当該粘着層は施工前の状態において離型紙で覆うことができる。施工時において適宜の長手寸法に切断された耐火材シート１は、長尺物集合体Ｃａへの巻き付け前に、作業者により離型紙が剥がされて粘着層が露出される。このように粘着層を形成した場合には、耐火材シート１を容易に長尺物集合体Ｃａに巻き付けてその状態を保持できる。
【００５２】
また前記実施形態では、縮径体として絞りテープ２２を用いていたが、針金、プラスチックケーブル、ゴムリング等、種々の長尺体やリング状体を用いることができる。また、前記実施形態では、縮径体である絞りテープ２２を複数の変形片１２…１２の外部に全周に巻き付けたが、これに限定されない。縮径体として長尺体やリング状体を用いる場合、少なくとも複数の変形片１２…１２の外部に位置していればよく、長尺物集合体Ｃａや基部１１にかかるように巻き付けてもよい。また、縮径体として複数の変形片１２…１２を挟むクリップ状のものや、一部の変形片１２を厚み方向に貫通することで耐火材シート１に固定されるピン状のものとすることもできる。また、場合によっては、貫通穴Ｗｈの内面と長尺物集合体Ｃａとの間に配置されるモルタル、コーキング材等の充填材を縮径体として機能させることもできる。
【００５３】
また耐火材シート１は、図７（Ａ）（Ｂ）に示す、複数の長尺物Ｃ…Ｃが平行に集合する部分に限らず、長尺物Ｃの分岐部分に巻き付けることもできる。
【００５４】
また、前記施工方法の一例では、図７（Ａ）に示すように長尺物集合体Ｃａに耐火材シート１を巻き付け、複数の変形片１２…１２の外部から絞りテープ２２を巻いた後に、耐火材シート１をスライドさせ、図７（Ｂ）に示すように壁Ｗの内部（貫通穴Ｗｈ）に位置させていた。しかし、絞りテープ２２を巻く順番はこれに限定されず、前記スライド終了後に絞りテープ２２を巻くこともできる。
【００５５】
また、前記実施形態の長尺物集合体Ｃａは、建物防火区画の境界に位置する壁Ｗを一方側から他方側に貫通するような貫通穴Ｗｈに対して通されていたがこれに限定されない。壁Ｗでなく床や天井であってもよいことはもちろんであるが、壁Ｗ、床、天井等において入口も出口も一方側に存在する略Ｕ字状の貫通穴に長尺物集合体Ｃａが通されてもよい。
【符号の説明】
【００５６】
１          耐火材シート
１１        基部
１２        変形片
１２Ｗ      変形片の巻付方向の寸法
１２Ｌ      変形片の幅方向の寸法
１２１      重なり部
１２２      ねじれ部
１３        スリット
２１        固定テープ
２２        縮径体、絞りテープ
Ｃ          長尺物
Ｃａ        長尺物集合体
Ｃｇ        溝状部
Ｗ          壁
Ｗｈ        貫通穴
Ｄｒ        巻付方向
Ｄｗ        幅方向
【図１】
0006653166.tif 000002
【図２】
0006653166.tif 000003
【図３】
0006653166.tif 000004
【図４】
0006653166.tif 000005
【図５】
0006653166.tif 000006
【図６】
0006653166.tif 000007
【図７】
0006653166.tif 000008
【図８】
0006653166.tif 000009